(57)【特許請求の範囲】
【請求項１】
平面視で略半円状であり、外周縁が平面視略円弧状の机天板を脚体に支持させた机と、前記机天板の外周縁より外側に配置される家具とを、机天板の外周縁に略沿うように平面視略円弧状に相対的に移動可能に案内・連結するための机天板の案内・連結装置であって、
前記机天板の下面には、その外周縁寄り部位に平面視円弧状のガイド手段を設け、前記家具の前部に設けた上下移動可能な支持体には前記ガイド手段に連結して相対的に水平方向に移動可能とする第１回転コロを備え、且つ前記支持体は、上向きに付勢されていることを特徴とする机天板の案内・連結装置。
【請求項２】
前記脚体は机天板の高さを調節可能になるように構成されていることを特徴とする請求項１に記載の机天板の案内・連結装置。
【請求項３】
前記ガイド手段は断面下向きコ字状のガイドレールであり、前記第１回転コロは、ガイドレールに嵌まって回転可能に構成されていることを特徴とする請求項１または２に記載の机天板の案内・連結装置。
【請求項４】
前記家具は、支柱と該支柱を床面に対して支持する水平足体と、前記支柱に固定され、前記机天板の外周縁に略沿う形状のビーム体にて構成され、前記ビーム体に複数の前記支持体を下向きに突設されていることを特徴とする請求項１乃至３のいずれかに記載の机天板の案内・連結装置。
【請求項５】
前記家具及び机の脚体にはそれぞれキャスタを備えていることを特徴とする請求項１乃至４のいずれかに記載の机天板の案内・連結装置。
【発明の詳細な説明】
【０００１】
【発明の属する技術分野】
本発明は、事務所等の室内に配置した家具と机天板との案内連結装置に係り、より詳しくは、家具と机天板とを連結した状態で、両者が相対的に水平移動できる構成にに関するものである。
【０００２】
【従来の技術】
従来、例えば、この種の家具と机天板との案内連結装置として、例えば、実開平３−４９５４５号公報では、キャビネットと、机（テーブル）とを連結すると共に、両者の配置位置を変更できるようにする構成として、キャビネットの上方を覆うことができる机天板の一側にはキャビネットの高さより高い脚部を設ける一方、前記キャビネットの上面一端部に支柱を突設し、該支柱に前記机天板の他側を旋回可能に連結したものや、前記支柱を中空状に形成し、机天板の下面から下向きに突出させた内筒を前記支柱内に水平旋回可能に嵌挿した構成が開示されている。
【０００３】
また、実開平３−１６４２６号公報では、天板の両端部に脚部を垂設し、天板の一側部から案内ピンを上向きに突設したベース机と、天板の一側に脚部を垂設した移動机とからなり、移動机における天板の下面には直線状等の摺動案内溝を設け、該摺動案内溝に前記案内ピンを嵌合させて、この案内ピンと摺動案内溝との位置関係を変更するように移動机をずらせて、前記ベース机に対して移動机の配置位置を任意に変更できるようにしたものが開示されている。
【０００４】
【発明が解決しようとする課題】
しかしながら、床面に凹凸があるとき、前記前者の先行技術では、移動する側の机の脚部を前記床面に沿って移動させようとしても、支柱の軸線に対して内筒の軸線を傾けることができず、円滑に机を移動させることができない。また、前記後者の先行技術では、机天板を傾けて移動可能であるが、使用中に当該机天板の水平を保持することが困難であるという問題があった。
【０００５】
本発明は、前記従来の問題点に鑑みてなされたものであって、脚体付きの机天板と家具との連結を保持し、且つ両者の相対的な位置を変更可能にしつつ、その相対移動の途中及び移動後においても両者を安定した姿勢に保持でき、さらに、机天板の高さを調節した場合にもこれに追従できる机天板の案内・連結装置を提供することを目的とするものである。
【０００６】
【課題を解決するための手段】
前記目的を達成するため、請求項１に記載の発明は、平面視で略半円状であり、外周縁が平面視略円弧状の机天板を脚体に支持させた机と、前記机天板の外周縁より外側に配置される家具とを、机天板の外周縁に略沿うように平面視略円弧状に相対的に移動可能に案内・連結するための机天板の案内・連結装置であって、前記机天板の下面には、その外周縁寄り部位に平面視円弧状のガイド手段を設け、前記家具の前部に設けた上下移動可能な支持体には前記ガイド手段に連結して相対的に水平方向に移動可能とする第１回転コロを備え、且つ前記支持体は、上向きに付勢されていることを特徴とするものである。
【０００７】
また、請求項２に記載の発明は、請求項１に記載の机天板の案内・連結装置において、前記脚体は机天板の高さを調節可能になるように構成されているものである。
【０００８】
そして、請求項３に記載の発明は、請求項１または２に記載の机天板の案内・連結装置において、前記ガイド手段は断面下向きコ字状のガイドレールであり、前記第１回転コロは、ガイドレールに嵌まって回転可能に構成されているものである。
【０００９】
さらに、請求項４に記載の発明は、請求項１乃至３のいずれかに記載の机天板の案内・連結装置において、前記家具は、支柱と該支柱を床面に対して支持する水平足体と、前記支柱に固定され、前記机天板の外周縁に略沿う形状のビーム体にて構成され、前記ビーム体に複数の前記支持体を下向きに突設されているものである。
【００１０】
請求項５に記載の発明は、請求項１乃至４のいずれかに記載の机天板の案内・連結装置において、前記家具及び机の脚体にはそれぞれキャスタを備えているものである。
【００１１】
【発明の実施の形態】
次に、本発明を具体化した実施形態について説明する。図１は本発明を適用する家具としてのサービスコア及び机の斜視図、図２はサービスコア及び机の側面図、図３はサービスコア及び机の平面図、図４は支柱の拡大断面図、図５はビーム体の斜視図、図６は蓋体の下面図、図７（ａ）〜図７（ｆ）はビーム体の平面図及びその所定箇所の断面図、図８は本発明に係る案内連結装置の要部拡大断面図である。
【００１２】
図１〜図３に示すように、本発明の机１は、平面視略半円状の机天板２が左右両側の脚体４に支持されており、机天板２の外周側に隣接して１乃至複数の家具としてのサービスコア３が配置されている。図３に示すように、平面視において、机天板２の外周縁２ａは回転中心となる中心Ｏから半径Ｒ１の略半円周であり、机天板２の内周縁のうち中央部は半径Ｒ２の略半円周の凹縁部２ｂに形成され、前記中心Ｏの近傍位置に作業者（人Ｈ０）の身体が配置されるとき、前記凹縁部２ｂは身体の外周に当たらないように形成されている。実施形態では、机天板２の外周縁２ａの半径Ｒ１は略６００ｍｍ〜８００ｍｍ程度であり、好ましくは７５０ｍｍである。凹縁部２ｂの半径Ｒ２は３５０ｍｍ程度に設定されている。
【００１３】
机天板２は左右一対の高さ調節可能な脚体４、４に支持されたものであり、後述するように、脚体４は、机天板２の下面に取付けられた上支柱８１と、これに対して昇降調節可能な下脚柱４ａと、平面視バナナ状（略円弧状）の水平足４ｂとからなる。即ち、合成樹脂製の上案内部材８３の上端鍔部８３ｂに穿設したガイド孔に対して予め前記上支柱８１を摺動可能に嵌挿させておく。この上案内部材８３における下向きの外取付け片８３ａは下脚柱４ａの上端部の外面に溶接固定した板片８５にボルト８６締着する一方、前記上支柱８１の外面と下脚柱４ａの内面との間に介在させた板状のスペーサ８７の上端の水平部８７ａは前記上案内部材８３の上端鍔部８３ｂの下面と下脚柱４ａの上端縁との間に脱落不能に支持され、前記ボルト８６にてスペーサ８７を上支柱８１に押圧する。該上支柱８１に上下に適宜間隔で穿設された調節孔８８に対して係合ピン８９を水平方向に嵌挿し（図１１及び図１２参照）、この係合ピン８９が上支柱８１から突出した前後部位は、上案内部材８３の上端鍔部８３ｂに凹み形成された載置部９０にセットされる。載置部９０の一方に設けた突起９１により、前記係合ピン８９の頭部８９ａが当接することにより、前記抜き差し可能な係合ピン８９が抜け落ちるのを防止している。
【００１４】
他方、前記水平足４ｂは、平面視において、前記机天板２の外周縁の内径側で略沿うように配置され、各水平足４ｂの下面には複数のキャスタ５が取付けられて、平面視において前記中心Ｏのまわりに回動可能に構成されている。
【００１５】
他方、前記各脚体４における断面楕円筒状の下脚柱４ａに対して、机天板２の下面にブラケット８４を固定し、このブラケット８４から下向きに突出する角筒状の上支柱８１を上下調節可能に嵌挿している。そのため、上支柱８１の下端に固定した合成樹脂製の下案内部材８２を下脚柱４ａ内に摺動自在に嵌挿する。
【００１６】
また、机天板２の外周寄りの下面には平面視円弧状で下向きに開口した断面下向きコ字状のガイドレール６を埋め込む等して固定し、このガイドレール６は後述するように、前記サービスコア３と連結された状態で、机天板２が水平に回動するときのガイド手段の一部を構成することになる。また、図３及び図９に示すように、机天板２の下面のうち、前記凹縁部２ｂに近い側の左右両側には、曲率半径略１１０ｍｍ程度の凹み部９０ａを有する平面視略円形（直径略１１０ｍｍ程度）の把手部９０、９０が埋め込まれている。これにより、前記中心Ｏの近傍位置の椅子１１に座った作業者（人Ｈ０）がその両手を前記一対の把手部９０に手を掛けて机天板２を左右方向に回動させることが容易になる。この把手部９０の形態は机天板２の下面から下向きに若干突出するものであっても良い。
【００１７】
サービスコア３は、アルミ押出材等の金属製または合成樹脂製からなる支柱７と、床面に当接する水平足体９とより独立的に自立できるものであり、円弧状の水平足体９の長手方向略中央部に前記支柱７の下端を図示しないボルト等にて連結固定する。なお、前記水平足体９から机天板２の下方の内周方向に延びる補助水平足１０にて自立の安定性を向上させている（図２及び図３参照）。この補助水平足１０の上面は、机天板２の凹縁部２ｂに対峙して、椅子１１に座る人Ｈ０の足載せ部を兼用している。また、物品収納箱１２ａを有するワゴン装置１２は机天板２の下方に対しても移動可能に構成されている（図１、図３参照）。
【００１８】
サービスコア３には、図１、図２に等に示すように、平面視で略円弧状で中空状のビーム体１６とその上面開放部を覆うための蓋体１７とからなる物品収納・支持装置１３、その前側に支持される液晶表示機器等の物品２６を載置するための板状の支持部材１４ａ、平面視略円弧状の偏平な棚板１４ｂ、書類等の物品を収納する上部収納体１５、照明器具１８、コンピュータ等の本体等のＯＡ機器載置台２０、コンセントボックス２３、モジュラージャックボックス２４等のサービス手段は、取付け部材、ブラケット等の取付け手段を介して支柱７の第１〜第３作業部に装着でき、且つこの各作業部に沿って電力用コード２１や通信用コード２２を配線することができるように構成されている。
【００１９】
次に、図４〜図１０を参照しながら、支柱７の構造及び前記物品収納・支持装置１３の取付け手段の構成について詳述する。図４は支柱７の断面図を示し、この断面の中央側に位置する芯材７１の内部は略小鼓状の中空部７２が形成されており、該中空部７２の四隅には、略円形の挿通溝７２ａが形成されている。
【００２０】
芯材７１の半径外側には、当該芯材７１の中心を挟んで相対向するように、図４において、Ｘ軸方向の一対の第１側面板７３ａ，７３ａと、Ｙ軸方向の一対の第２側面板７３ｂ，７３ｂとが、各々複数の連結片７４ａ、７４ｂ，７４ｃを介して一体的に連接されている。実施形態ではＸ軸方向の一対の第１側面板７３ａ，７３ａとＹ軸方向の一対の第２側面板７３ｂ，７３ｂとで囲まれた形状が略楕円である。従って、第１側面板７３ａ，７３ａ側が長径側に位置し、第２側面板７３ｂ，７３ｂが短径側に位置することになる。
【００２１】
そして、前記一対の第１側面板７３ａ，７３ａには、幅寸法Ｗ１の狭幅の第１開口溝７６ａ，７６ａが支柱７の中心軸線と平行状に支柱７の長手方向に沿うように形成されている。前記各第１側面板７３ａ側に設けられる第１作業溝は、前記各第１開口溝７６ａと、これに連通し、前記芯材７１寄り部位で広幅となる第１挿通溝７６ｂとにより構成されている。従って、前記一対の第１作業溝としての第１開口溝７６ａ，７６ａは、Ｘ軸方向において、互いに反対方向に開口することになる。なお、前記各第１挿通溝７６ｂの底部には、第１開口溝７６ａの幅寸法よりやや狭い間隔の一対のレール部が、支柱７の中心軸線と平行状に支柱７の長手方向に沿うように形成されている。
【００２２】
第２作業溝は、前記第２側面板７３ｂ側に支柱７の長手方向に沿うように設けられた幅寸法Ｗ２の狭幅の第２開口溝７８ａと、これに連通して前記芯材７１寄り部位で広幅となる第２挿通溝７８ｂとにより構成されている。従って、前記一対の第２作業溝としての第２開口溝７８ａ，７８ａはＹ軸方向において、互いに反対方向に開口することになる。
【００２３】
さらに、前記第１側面板７３ａと第２側面板７３ｂと間には、第３作業溝７９を設ける。従って、第３作業溝７９は、前記第１作業溝と第２作業溝とに挟まれて４箇所に形成されることになる。
【００２４】
前記ビーム体１６を支柱７に着脱自在装着するには、図４、図５及び、図７（ａ）に示すように、取付け手段としての断面コ字状のブラケット３０をビーム体１６の左右中央の背面にネジ２８にて固定する。このブラケット３０の左右両側に後向下向きの係合爪３１、３１を設ける。そして、支柱７における左右一対の第３作業溝７９、７９には、縦長の係止板３２、３２を、支柱７の上端から落とし込み挿入する。この各係止板３２には、上下方向に所定の間隔にて係止溝孔（３３が穿設されており、前記ブラケット３０の基端左右両側に設けた下向き係合爪３１、３１を、前記係止溝孔３３に挿入して係止する。
【００２５】
そして、該ブラケット３０が支柱７に対して横ずれ等をしないように強固に固定するには、ブラケット３０の表面側のハンドル３４にて回動する係合ブロック３５とブラケット３０との間隔を狭めて、ブラケット３０の装着姿勢を固定するのである。
【００２６】
次に、図５、図６及び図７（ａ）〜図７（ｆ）を参照しながら、物品収納・支持装置１３としてのビーム体１６や蓋体１７の構成について詳述する。ビーム体１６は左右に長く平面視で略バナナ状（略円弧状）に湾曲した上面開放状の箱体であって、底板１６ａには、その長手方向に沿って適宜間隔にて上下に挿通する孔を備えた複数の支持筒部３６を上向きに突設し、メモボード１９の取付け部材（支柱）４３の基端を支持筒部３６に差し込んで立設する一方、左右一対の下向き開口状の筒部３７、３７には、その筒内にその天板から下向きに突出させたボルト１１１を介して支持体４５における丸棒状の縦支持軸１１０の上端部に締着する（図８参照）。各支持体４５は、前記縦支持軸１１０と、これに対して上下動可能に被嵌させた外筒体１１２と付勢バネ１１４とからなり、外筒体７２の上端に固着した案内筒１１３にて前記縦支持軸１１０を上下に摺動自在に案内している。そして、縦支持軸１１０の下端に固定したワッシャ１１５に前記コイル状の付勢バネ１１４の下端を支持させる一方、該付勢バネ１１４の上端は前記案内筒１１３の下面に押圧付勢させる。外筒体１１２の一側に縦方向に穿設されたガイド溝１１６に対して摺動可能に挿通させたガイドピン１１７は縦支持軸１１０の下部寄り側面に螺着されている。外筒体１１２の下端は、栓体１２０にて封止されている。外筒体１１２の外面に横向きに固定した横支持部材１１８には、垂直軸回りに回転する第１回転コロ４６ａと水平軸回りに回転する第２回転コロ４６ｂとを備え、第１回転コロ４６ａは机天板２の下面の外周寄り部位に設けた平面視円弧状で、断面下向きコ字状のガイドレール６に嵌合させ、第２回転コロ４６ｂは机天板２の下面に回転自在に当接させる。これにより、机１が前述のようにサービスコア３に沿って円弧状に回転できるようにしている。また、前述したように、左右一対の脚体４、４の高さ調節時に、机天板２の高さ位置が変更されると、当該机天板２の下面に当接した第１回転コロ４６ａ及び第２回転コロ４６ｂは、前記付勢バネ１１４の付勢力に抗して常時上向き付勢されて昇降可能な外筒体１１２に支持されているので、机天板２の任意の高さ調節に対して追従できるのである。
【００２７】
なお、ビーム体１６における前記底板１６ａに平坦な支持部３８を設ける一方、ビーム体１６の前面に前記各支持部３８の上面に連通する偏平な貫通孔３９を穿設し、この両貫通孔３９に、段付き状の支持ブラケット４０の基部側を挿入して支持部３８にネジ止めし、一対の支持ブラケット４０の先端間に、前記液晶表示機器等の物品２６を載置するための板状の支持部材１４ａを取り付けるのである。
【００２８】
また、ビーム体１６の底板１６ａには、コネクタ、モジュラージャックボックスなどの電気（電子）機器を装着固定するための上向き開放状の取付け部４１が複数箇所に設けられている（図７（ａ）及び図７（ｆ）参照）。さらに、ビーム体１６の側面や底板１６ａに複数箇所に配線用の通孔４２が穿設されており（図５、図７（ａ）参照）、前記支柱７から配線された電力用コード２１や通信用コード２２を通孔４２を介してビーム体１６内に導いて、これらのコードの余長部をビーム体１６内の空間（配線処理用収納空間）に収納できる。
【００２９】
前記ビーム体１６の上面を覆う着脱自在な蓋体１７は、図６に示すように、その外周縁の嵌合溝１７ａをビーム体１６の外周上端縁に嵌め入れて位置ずれしないように構成されており、この蓋体１７には、前記支持筒部３６から上向きに突設する取付け部材４３を通し、また、電力用コード２１や通信用コード２２を外に導くための切欠き溝４４が複数箇所に形成されている。なお、ビーム体１６の外周の上端にも切欠き溝４７を設けるようにしても良い（図５参照）。このようにして、液晶表示装置等のモニター、電話機、プリンタ等の各種電気製品の電力用コード２１や通信用コード２２の余長部は前記ビーム体１６の内部空間に納めることができる。
【００３０】
なお、前記支持筒部３６には、物品載置用の台板２７やメモボード１９等を支持するためのアーム４３の基部を上から嵌め入れてアーム４３が回動可能となるように構成して良い。また、図５に示すように、小型のコンピュータ本体１００を載置するための支持台１０１をアーム１０２に支持させ、アーム１０２下端に突出させたピン１０３を前記支持筒部３６に  嵌め入れて、支持台１０１を水平回動可能とする。この場合、支持台１０１からコンピュータ本体１００が落下しないように、左右両側に保護枠１０４、１０４を立設しておけば把手の機能をも果たすことができる。また、両保護枠１０４、１０４または支持台１０１とコンピュータ本体１００の上面にかけてベルト等の緊迫体にて縛ることにより、コンピュータ本体１００が脱落、ずれ移動を完全に防止できる。
【００３１】
前記支柱７の上部側に配置された上部収納体（アッパーキャビネット）１５は、図１及び図２に示すように、側面視略三角形状で正面視略横長矩形状の収納箱９１と、該収納箱９１の開放面を開閉可能に覆う開閉蓋９２とから構成されている。収納箱９１は水平な底板９１ａの左右両側から立設する側面視略三角形状の側板９１ｂ，９１ｂと該側板９１ｂ，９１ｂ及び底板９１ａの後端を連結する垂直状の背板９１ｃとからなり、この背板９１ｃの背面側には、支柱７の上端に上向きに取付けられた照明器具１８が配置されている。なお、前記左右両側板９１ｂ，９１ｂより外側には、ＣＤ等の記録媒体やその他の小さな物品を収納するための小物入れ部９１ｄ，９１ｄが前方開放状にて設けられている。
【００３２】
前記収納箱９１の開放面（前面）を覆う開閉蓋９２は収納箱９１の左右両側板９１ｂ，９１ｂの外面に枢支部９３を介して回動可能に装着され、開閉蓋９２を前向きに回動下状態では、収納箱９１の開口面を覆い（図１３の二点鎖線状態参照）、底板９１ａに対してロックできる。また、前記枢支部９３は開閉蓋９２の前後中途位置のうち若干後寄りに偏位しているので、開閉蓋９２を後上方に大きく（略９０度）回動したときには、当該開閉蓋９２の内径部に前記照明器具１８が位置し、開閉蓋９２の前縁が収納箱９１の開口部の上方に位置して、収納箱９１の開口部を大きく開放できて、内部の物品の出し入れが容易になるように構成されている。この水平蓋９２を半透明の合成樹脂材等にて形成しておけば、開閉蓋９２が照明器具１８に対する笠の機能を有することになる。即ち、開閉蓋９２を前述のように大きく開いた状態では照明器具１８の光が開閉蓋９２の内面に反射し、収納箱９１の後側から上部に回り込み、開閉蓋９２の全体が明るく光るような間接照明効果を与えることができる。さらに、図１３に示すように照明器具１８が電球のような光源１８ａの上端側を開放した笠１８ｂにて構成されていると、光源１８ａからの光が開いた開閉蓋９２の内面頂部に強く当り、開閉蓋９２の内面全体に光が拡散し、前記の間接照明効果が一層良く発揮される。
【００３３】
【発明の効果】
以上に詳述したように、請求項１に記載の発明は、平面視で略半円状であり、外周縁が平面視略円弧状の机天板を脚体に支持させた机と、前記机天板の外周縁より外側に配置される家具とを、机天板の外周縁に略沿うように平面視略円弧状に相対的に移動可能に案内・連結するための机天板の案内・連結装置であって、前記机天板の下面には、その外周縁寄り部位に平面視円弧状のガイド手段を設け、前記家具の前部に設けた上下移動可能な支持体には前記ガイド手段に連結して相対的に水平方向に移動可能とする第１回転コロを備え、且つ前記支持体は、上向きに付勢されていることを特徴とするものである。
【００３４】
従って、家具の前面に机天板の平面視略円弧状の外周縁が接近するように隣接配置し、家具の前面に設けた支持体における第１回転コロを、前記机天板の下面の外周縁寄り部位に設けられたガイド手段に連結すると、第１回転コロとガイド手段とは、当該ガイド手段の平面視円弧状に沿って相対的に水平方向に移動可能となり、家具と机とは、互いに離れることなく、机天板の外周縁に略沿うように平面視略円弧状に相対的に移動可能に案内できるのである。そして、支持体が上下移動可能で、且つ上向き付勢されているので、前記家具と机との相対移動の際に、例えば床面に凹凸があっても、第１回転コロがガイド手段から離れず追従でき、また、上下方向の外力を吸収できるという効果を奏する。
【００３５】
また、請求項２に記載の発明は、請求項１に記載の机天板の案内・連結装置において、前記脚体は机天板の高さを調節可能になるように構成されているものである。このように脚体により机天板の高さを調節した場合にも、支持体が上下移動可能であって、且つ上向き付勢されているので、第１回転コロがガイド手段から離れず追従できるという効果を奏する。
【００３６】
そして、請求項３に記載の発明は、請求項１または２に記載の机天板の案内・連結装置において、前記ガイド手段は断面下向きコ字状のガイドレールであり、前記第１回転コロは、ガイドレールに嵌まって回転可能に構成されているものである。従って、前記ガイドレールに第１回転コロを嵌め入れるには、前記支持体を一旦大きく下方向に下げた状態にして、第１回転コロがガイドレールに嵌まり得る位置で手を離せば、第１回転コロとガイドレールとが自動的に連結状態となるから、家具と机との連結作業が容易になるという効果を奏する。
【００３７】
さらに、請求項４に記載の発明は、請求項１乃至３のいずれかに記載の机天板の案内・連結装置において、前記家具は、支柱と該支柱を床面に対して支持する水平足体と、前記支柱に固定され、前記机天板の外周縁に略沿う形状のビーム体にて構成され、前記ビーム体に複数の前記支持体を下向きに突設されているものである。従って、前記ビーム体と机天板の外周縁とを平面視で略沿わせた状態に配置し、前記ビーム体に設けた複数の支持体における各第１回転コロをガイド手段（ガイドレール）に連結することにより、ビーム体の個所と机天板とが連結され状態で、相対的に水平移動可能に案内できるという効果を奏する。
【００３８】
請求項５に記載の発明は、請求項１乃至４のいずれかに記載の机天板の案内・連結装置において、前記家具及び机の脚体にはそれぞれキャスタを備えているものであるから、家具と机との相対的な水平移動が至極容易になるという効果を奏する。
【図面の簡単な説明】
【図１】  机及びサービスコアの斜視図である。
【図２】  机及びサービスコアの側面図である。
【図３】  机及びサービスコアの平面図である。
【図４】  支柱及び取付け部材の拡大断面図である。
【図５】  物品収納・支持装置としてのビーム体の斜視図である。
【図６】  蓋体の半分を示す下面図である。
【図７】  （ａ）はビーム体の平面図、（ｂ）は図７（ａ）のＢ−Ｂ線矢視断面図、（ｃ）は図７（ａ）のＣ−Ｃ線矢視断面図、（ｄ）は図７（ａ）のＤ−Ｄ線矢視断面図、（ｅ）は図７（ａ）のＥ−Ｅ線矢視断面図、（ｆ）は図７（ａ）のＦ−Ｆ線矢視断面図である。
【図８】  机天板２の支持体４５の要部拡大断面図である。
【図９】  机天板２の把手部及びガイドレールの要部拡大断面図である。
【図１０】  机天板の上下調節可能な脚体の一部切欠き側面図である。
【図１１】  下脚柱と上支柱との案内兼用支持部の構成を示す断面図である。
【図１２】  図１１のXII −XII 線矢視断面図である。
【符号の説明】
１      机
２      机天板
２ａ    外周縁
３      家具としてのサービスコア
４      脚体
４ａ    下脚柱
４ｂ    水平足
６      ガイドレール
７      支柱
９      水平足体
１６      ビーム体
１７      蓋体
３０      ブラケット
３７      筒部
４５      支持体
４６ａ    第１回転コロ
４６ｂ    第２回転コロ
１１０      縦支持軸
１１１      ボルト
１１２      外筒体
１１３      案内筒
１１４      付勢バネ
１１６      ガイド溝
１１７      ガイドピン
１１８      横支持部材
１２０      栓体
【図１】
0003838554.tif 000002
【図２】
0003838554.tif 000003
【図３】
0003838554.tif 000004
【図４】
0003838554.tif 000005
【図５】
0003838554.tif 000006
【図６】
0003838554.tif 000007
【図７】
0003838554.tif 000008
【図８】
0003838554.tif 000009
【図９】
0003838554.tif 000010
【図１０】
0003838554.tif 000011
【図１１】
0003838554.tif 000012
【図１２】
0003838554.tif 000013